(57)【特許請求の範囲】
【請求項１】
空気をエアシャワー室内に吹き付けるエアシャワー装置であって、
エアシャワー装置の前室側および作業室側に設けた人が出入りするドアと、
前記両方のドアの窓部に設けたマジックミラーと、
エアシャワー室に設けたエアシャワー室照明と、
を備え、
エアシャワー室内の上半分の照度を、前記前室側および／または前記作業室側の照度よりも高くし、
エアシャワー室内の下半分の照度を、前記前室側および／または前記作業室側の照度よりも低くしたことを特徴とするエアシャワー装置。
【請求項２】
空気をエアシャワー室内に吹き付けるエアシャワー装置であって、
エアシャワー装置の前室側および作業室側に設けた人が出入りするドアと、
前記両方のドアの窓部に設けたマジックミラーと、
エアシャワー室に設けたエアシャワー室照明と、
前室側照明および作業室側照明と、
エアシャワー室の照度を検出する室内照度センサーと、前室の照度を検出する前室照度センサーと、作業室の照度を検出する作業室照度センサーと、
前記エアシャワー室照明、前記前室側照明および前記作業室側照明を調整する制御装置と、
を備え、
前記制御装置は、前記室内照度センサー、前記前室照度センサーおよび前記作業室照度センサーで検出した前記エアシャワー室、前記前室および前記作業室の照度に基づいて、前記エアシャワー室照明、前記前室側照明および前記作業室側照明の照度を調整することを特徴とするエアシャワー装置。
【請求項３】
空気をエアシャワー室内に吹き付けるエアシャワー装置であって、
エアシャワー装置の前室側および作業室側に設けた人が出入りするドアと、
前記両方のドアの窓部に設けたマジックミラーと、
エアシャワー室に設けたエアシャワー室照明と、
前室側照明および作業室側照明と、
前記エアシャワー室照明、前記前室側照明および前記作業室側照明を調整する制御装置と、
を備え、
空気を吹き付けるエアジェット作動時に、前記制御装置は、前記エアシャワー室照明の照度と、前記前室側照明の照度を略同一としたことを特徴とするエアシャワー装置。
【請求項４】
空気をエアシャワー室内に吹き付けるエアシャワー装置であって、
エアシャワー装置の前室側および作業室側に設けた人が出入りするドアと、
前記両方のドアの窓部に設けたマジックミラーと、
エアシャワー室に設けたエアシャワー室照明と、
前室側照明および作業室側照明と、
前記エアシャワー室照明、前記前室側照明および前記作業室側照明を調整する制御装置と、
を備え、
空気を吹き付けるエアジェットが終了してクリーンアップ動作時に、前記制御装置は、前記エアシャワー室照明の照度を、前記前室側照明の照度および前記作業室側照明の照度よりも大きくしたことを特徴とするエアシャワー装置。
【発明の詳細な説明】
【技術分野】
【０００１】
本発明は、ファン等で加圧された空気を用いて塵埃を除去するエアシャワー装置に関する。
【背景技術】
【０００２】
エアシャワー装置は、半導体や精密機械等の製造又は食品の製造・加工を行なうクリーンルーム又は作業室の出入り口に設置され、クリーンルーム及び作業室の通路又は前室として使用され、クリーンルーム又は作業室へ塵埃の流入・持込を防止する為の装置である。
【０００３】
一般的なエアシャワー装置の機能として、クリーンルーム及び作業室と、廊下及び前室等との間に設置され、クリーンルーム又は作業室への塵埃の流入・持込を防止するものである。その為、エアシャワー装置では、使用する人間が衣服等に付着した塵埃を落とすことが求められる。
使用者としては、肩口・背中等は視覚から外れている為、鏡等を用いたほうがやりやすい。但し、エアシャワー室内にはエアジェットノズルが配置してある為、鏡の設置は難しかった。
管理者としては、使用者にしっかりとエアシャワーを使わせる必要がある。その為、ドアのガラス部から室内を見ることが求められていた。
【０００４】
特許文献１には、ドアの中央に、縦方向に細長い透明なガラス板で形成した窓を設置し、エアシャワー室内が見えるように構成したエアシャワー装置(実施例１)が記載されている。
【０００５】
また、特許文献２には、姿見用ミラーを設けたエアシャワー装置が記載されており、「本実施例では、シャワー室側面ケースの中央附近に、一部をハーフミラーとした姿見用ミラーと、このハーフミラー部分の裏面に情報表示器を設け、時刻、ニュース、天気予報、業務に関する情報、安全などの標語、昼食の献立など作業者に有用な情報をエアジェット運転中に表示し、ミラーごしに読み取りできるようにしたものである。」(第３実施例)と記載されている。
【先行技術文献】
【特許文献】
【０００６】
【特許文献１】特開２０１３−８３４０６号公報
【特許文献２】特開平８−１７８３８８号公報
【発明の概要】
【発明が解決しようとする課題】
【０００７】
エアシャワー装置の使用者としては、衣服等に付着した塵埃等を確認する為、鏡の設置が有効であった。ダクトカバーにステンレスSUS仕上げ材を用いる案もあるが、ノズルが配置されている為、鏡の代用とするには厳しかった。特許文献２には、シャワー室側面に姿見用ミラーを設けることが記載されているが、エアジェットノズルが配置してあるため、大きなミラーとすることは困難である。
【０００８】
また、管理者としては、使用者がエアシャワーをきちんと浴びているか確認する必要があった。特許文献１には、ドアの中央に、透明なガラス板で形成した窓を設置することが記載されているが、鏡としては利用できないものである。
【０００９】
本発明は、エアシャワー装置の使用者が、衣服等に付着した塵埃を確認でき、また、室外の管理者側から、使用者がエアシャワーをきちんと使用しているかを確認できるエアシャワー装置を提供することを目的とする。
【課題を解決するための手段】
【００１０】
上記課題を解決するために、例えば特許請求の範囲に記載の構成を採用する。
本願は上記課題を解決する手段を複数含んでいるが、その一例を挙げるならば、空気をエアシャワー室内に吹き付けるエアシャワー装置であって、エアシャワー室は、人が出入りするドアを備えており、前記エアシャワー室に、エアシャワー室照明を設け、前記ドアの窓部にマジックミラーを設けたことを特徴とするものである。
【発明の効果】
【００１１】
本発明のエアシャワー装置は、ドアの窓部をマジックミラーにすることにより、使用者にとっては鏡のように見え、衣服等に付いた塵埃を確認することができる。また、室外の管理者からは、窓部がガラスのように見え、エアシャワーをきちんと使用しているか確認することができる。
【図面の簡単な説明】
【００１２】
【図１】本発明の実施例１のエアシャワー装置を示す斜視図である。
【図２】実施例１のドアを示す斜視図である。
【図３】従来のエアシャワー装置の一例を示す斜視図である。
【図４】本発明の実施例１のエアシャワー装置の動作状態を示す平面図である。
【図５】実施例１のエアシャワー装置の他の動作状態を示す平面図である。
【図６】実施例１のエアシャワー装置の他の動作状態を示す平面図である。
【図７】実施例１のエアシャワー装置の他の動作状態を示す平面図である。
【図８】本発明の実施例２のエアシャワー装置を示す図である。
【図９】本発明の実施例３のエアシャワー装置を示すブロック図である。
【図１０】本発明の実施例４のエアシャワー動作の一例を示す図である。
【発明を実施するための形態】
【００１３】
図３に、従来のエアシャワー装置の斜視図を示す。エアシャワー装置１１は、内部に側面と、天井面と、床面とドアとで囲まれたエアシャワー室を備えており、入口側及び出口側にドア２２が設けられている。本図では表側のドアしか示されていないが、もう一方の裏側のドアも同様の構造である。ドア２２の窓部には、一般的に強化ガラス３２が用いられている。強化ガラスであるから、エアシャワー装置の室内・室外両方から互いが見える状態である。
【００１４】
以下、本発明の実施形態について、図１，図２，図４〜図１０を用いて説明する。なお、実施例を説明するための各図において、同一の機能を有する要素にはなるべく同一の名称、符号を付して、その繰り返しの説明を省略する。
【実施例１】
【００１５】
図１は、本発明の実施例１のエアシャワー装置を示す。エアシャワー装置１１は、内部に側面と、天井面と、床面とドアとで囲まれたエアシャワー室を備えており、入口側及び出口側にドア２１が設けられている。ドア２１の窓部にはマジックミラー３１が設けられている。
【００１６】
ここで、マジックミラーとは、明るい側からは鏡に見えるが、暗い側からは向こう側が見える光学部品であり、ミラーガラスとも、また、透過率と反射率が等しいものはハーフミラーとも呼ばれる。
【００１７】
ハーフミラーとは、透過率と反射率が厳密に等しいもののみを指すのではなく、ハーフミラーの一方の面は鏡のように見え、他方の面はハーフミラーを透過した先が見えるものを示す概念である。また、このような状態となるには、他方の面側より一方の面側が明るい必要がある。
【００１８】
また、ミラーやハーフミラーには、ガラスやアクリル等の光を透過する部材に光を反射透過させるシートやフィルム状の部材を貼ることで構成されるものも含まれる。
【００１９】
このようなマジックミラーとハーフミラーを併せた概念として、本明細書においては、反射部材と呼ぶ。ただし、以下の実施例の説明では、代表してマジックミラー３１として説明する。
【００２０】
図２に、実施例１のドア部２１を示す。図３の従来のドア２２と比較して、縦框４１及び横框４２の幅を細くし、マジックミラー部３１の面積を大きくした。これにより、マジックミラーに代えた効果を、より多く得ることができる。望ましくは、マジックミラー３１の幅はドア部２１の幅の半分より大きいとよい。
【００２１】
これにより、入室者１０１は、内部からは鏡として大面積で使うことができる。また、室外者１０２は、外部からは広い視野角で内部を観察することができる。内部の観察方法については後述する。この内部を観察できる状態を反射モードまたは内部監視、内部観察もしくは内部確認モードと呼ぶ。
【００２２】
また、マジックミラー３１の面積は、入室者１０１が姿見として用い、また、室外者１０２から見られるようにするためには、入室者の身長の半分以上であって幅は肩幅の半分以上あることが望ましい。
具体的には、高さは少なくとも床面から３００ｍｍより高い位置であって、幅は３００ｍｍ以上あると姿見として実施できる。
また、床面から２００ｍｍから１８０ｍｍであって、幅は５００ｍｍ程度あると入室者１０１は身体全体を見ることができ、室外者１０２も入室者１０１を容易に観察することができる。
【００２３】
なお、マジックミラー３１の面積は一部であっても実施可能であるが上記のようにできるだけ大きな面積であることが望ましい。構造上、十分な強度が得られれば、ドアノブ等の部材を除く全面をマジックミラーとすることも可能である。
【００２４】
また、縦框４１及び横框４２に溝を設け、マジックミラー３１を嵌め込むことができるため、構造上は、縦框４１及び横框４２を設けることが望ましい。
【００２５】
図４〜７は、エアシャワー装置を上面から見たイメージ図を表す。
【００２６】
図４において、エアシャワー装置１１の本体５１の両壁面には、照明９１が取り付けられている。図には示していないが、両壁面には空気を吹き出す複数のエアジェットノズルが設けられている。
【００２７】
図において、符号６１はエアシャワー装置のエアシャワー室内を表し、符号７１は前室を、符号８１は作業室を表す。また、矢印は光線を表し、線の太さが光線の量を表す。光線とは、光の量を矢印で模式的に示したものである。
【００２８】
図４は、エアシャワー室内６１に入室者１０１がおり、照明９１が点灯した状態を表す。この場合、前室７１および作業室８１に比べてエアシャワー室内６１が明るいので、室内６１から前室７１或いは作業室８１を見た場合、マジックミラー３１は鏡のようになっている。逆に、前室７１或いは作業室８１から室内６１を見た場合、マジックミラー３１はガラスのように室内６１が見える。
【００２９】
室内６１にいる入室者１０１は、鏡のようになったマジックミラー３１を用いて、身支度を整えることが可能となる。また、前室７１或いは作業室８１からは、エアシャワー装置１１内の入室者１０１が見えるため、エアシャワーを取り決め通りに使用しているか、確認することが可能である。取り決めとは、食品工場や半導体の製造工場等において、工場の清浄度が高い環境に入る前に設置されたエアシャワー室内で、入室者１０１が衣服等についた塵埃を落とす所定の動作や時間である。
【００３０】
図５は、図４の他の動作状態を示す。図５は、エアシャワー室内６１の照明９１が消灯し、前室７１の照明９２および作業室８１の照明９３が点灯している状態である。そして例えば、エアシャワー装置１１の使用が終わり、エアシャワー装置１１に人がいなくなった状態である。
【００３１】
この場合、エアシャワー室内６１が前室７１と作業室８１よりも暗いので、前室７１および作業室８１から見た場合に、マジックミラー３１は鏡のように見える。そのため、エアシャワー室内に入室者１０１がいる場合にはマジックミラー３１の先の前室７１と作業室８１を、室外者１０２は、前室７１と作業室８１からエアシャワー室内６１の内部を互いに見ることができない状態とすることができる。
【００３２】
さらに、作業室８１内部の照明による光は前室７１に通りにくくなるため、前室７１の虫等が作業室８１の明かりを見ることができず、作業室８１へ向かいにくくなるため防虫の効果が見込まれる。
【００３３】
また、作業室８１での作業者にとっては、前室７１を行き交う人が見えないので、作業室８１またはエアシャワー室内６１での作業等に集中することができる。
【００３４】
さらに、前室７１から作業室８１が見えないので、作業室の情報の流出を防ぐことができる。
【００３５】
図６は、図４の他の動作状態を示す。図６は、作業室８１が非常に明るく（室内６１と前室７１より明るい状態）、室内６１が前室７１と作業室８１との中間の明るさの状態である。この場合、前室７１から作業室８１等の状況を窺うことができる。
【００３６】
逆に、作業室８１から前室７１を見ると、マジックミラー３１は鏡面となっており、前室７１の状況を知ることが出来ない。この場合、前室７１から作業室８１に人がいるかを見回ることができる。
【００３７】
図７は、図４の他の動作状態を示す。図７は、図６と逆の状況であり、前室７１が非常に明るく（室内６１と作業室８１より明るい状態）、室内６１が前室７１と作業室８１との中間の明るさの状態を示す。この場合、作業室８１から前室７１等の状況を窺うことができる。
【００３８】
逆に、前室７１から作業室８１等を見ると、マジックミラー３１は鏡面となっており、作業室８１の状況を知ることが出来ない。この場合、前室から作業室の様子を見ることができないので、防犯の効果がある。
【００３９】
本実施例によれば、エアシャワー装置のドアの窓部をマジックミラーとし、エアシャワー室内の照度を変えてやることにより、使用者にとってはドア部が鏡のように見え、衣服等に付着した塵埃を確認することができる。また、室外の管理者側からはドア部がガラスのように見え、使用者がきちんとエアシャワーを使用しているかを確認することができる。
【００４０】
また、従来のエアシャワー装置であれば、ガラス部から内部の明かりが漏れていたが、本発明のようにマジックミラーにすることにより、室内に明かりがこもる為、同じ照明器具でも明るく感じる。これにより、同等の照度を必要とする場合、通常よりも小さい照明を用いることができ、省電力に繋がる。
【実施例２】
【００４１】
本発明の実施例２は、エアシャワー装置の上下方向で、照明の明るさを変えたものである。
【００４２】
図８において、中央の図（ｂ）はエアシャワー装置の間口方向に取った断面を示す図である。また、左側の図（ａ）は室外者１０２がエアシャワー装置を見た図を、右側の図（ｃ）は室内者１０１が室外を見た図を示す。
【００４３】
図８（ｂ）において、エアシャワー装置１１の室内６１ではマジックミラー３１の上部に照明９１を設置し、室外（前室７１または作業室８１）ではマジックミラー３１の下部に照明９２を設置している。この場合、図（ｃ）に示すように、入室者１０１にとっては、マジックミラー３１の上部が鏡、下部がガラスのようになっており、自分自身の身支度を整えることができる。
【００４４】
図（ａ）に示すように、室外者１０２にとっては、マジックミラー３１の上部がガラス、下部が鏡のようになっており、入室者１０１のエアシャワー使用状況を確認することができる。また、マジックミラー下部は、室外から室内に光が入ることとなり、室内６１の照度確保も可能となる。
【実施例３】
【００４５】
本発明の実施例３は、エアシャワー室内、前室側および作業室側にそれぞれ照明を設置し、照度を制御するようにしたものである。
【００４６】
図９に、実施例３のエアシャワー装置のブロック構成図を示す。エアシャワー室内には、室内照度センサー１１１と室内照明９１が設けられている。前室には、前室照明センサー１１２と前室照明９２が設けられている。
【００４７】
そして、作業室には、作業室照度センサー１１３と作業室照明９３が設けられている。なお、前室照明９２および作業室照明９３はエアシャワー装置と別に設けても良いし、或いは、エアシャワー装置に固定して一体に設けても良い。
【００４８】
室内照度センサー１１１、前室照明センサー１１２および作業室照度センサー１１３から得られる室内、前室および作業室の照度信号は制御装置１１０に入力される。制御装置１１０では、室内、前室および作業室の照度信号に基づいて、室内照明９１、前室照明９２および作業室照明９３を必要な照度とするための駆動信号を求める。そして、求めた駆動信号により室内照明９１、前室照明９２および作業室照明９３を照明する。
【００４９】
本実施例によれば、それぞれの室の照度を測定し、測定した照度に基づいて、それぞれの室の照明の明るさを調整するので、適切な照度の照明を行うことができる。ひいては、適切なタイミングでエアシャワー装置の照明によって光量を調整し、室内、前室、作業室等を他の室から視認できるか否かを任意に変更可能となる。
【実施例４】
【００５０】
実施例４に、本発明のエアシャワー装置を用いたエアシャワー動作の一例を示す。この動作は、図９に示される各照度センサーにより照度を測定し、制御装置により、各照明の照度を調整することにより実現できる。
【００５１】
図１０に、エアシャワー装置の動作、前室、室内および作業室の照明の状態、前室ドアおよび作業室ドアのマジックミラーの状態を表す図を示す。
(1)入室前は、前室のみ照明が点いた状態のため、前室ドアが鏡のようになり、エアシャワー装置の入室前に身支度を調えることができる。
(2)前室ドアを開け入室すると、室内の照明が点き作業室ドアが鏡のようになるため、２度目の身支度を調えることができる。
(3)前室ドアが閉まると、エアジェットが作動し、衣服に付着した塵埃を除去できる。
エアジェット中においては、前室と室内の照度がほぼ等しいため、前室から室内の様子がうっすらと確認でき、エアシャワーを適切に使用しているかを確認することができる。
(4)エアジェットが終了すると、一定時間クリーンアップ動作となり、室内照度が最高照度となる。このとき、前室ドアおよび作業室ドアの両方が鏡のようになり、３度目の身支度を確認できる。
ここで、クリーンアップ動作とは、エアジェットにより吹き飛ばされ、エアシャワー室内６１の室中にある塵埃を外部に出さないようにする動作をいう。エアシャワー装置１１内にファンモータを設け一様な風を起こすことにより浮遊した塵埃をフィルタで収集する。また、ファンモータを設けない場合は、エアジェットを吹き付けた後に、一定時間ドアの開けないことによって、塵埃が自重で床面に落下させる。なお、エアジェット終了後ドアの開閉はエアシャワー装置１１側で制御してもよい。
(5)クリーンアップが終了し、退室した後に、作業室ドアを振り向くと鏡のようになり、４度目の身支度確認をできる。
【００５２】
図において、オプションとして「音声ユニット」が設けられており、これを用いることにより、各状態でのエアシャワー使用者に対し、音声により動作毎の指示を与えることができ、鏡による身支度を徹底させることができる。また、エアシャワー装置１１内にディスプレイ等を設置することによって、指示をディスプレイに表示してもよい。このとき、身支度やエアジェット中の所定の動作等を表示してもよい。また、クリーンアップ時間を表示することで、再度マジックミラー３１を姿見として用いることができ、クリーンアップ時間を有効活用することができる。
【００５３】
また、エアシャワー室６１内には、入室者１０１が身支度をする際において、外部から見られたくない場合を考慮し、ボタンや音声の入力手段に入力することで、エアシャワー室内６１の光量をエアシャワー室外よりも下げることで、外部から観察されない状態を有していてもよい。これを反射モードと呼ぶ。反射モードを採用することによって、入室者１０１が観察されない時間を作ることで、入室者１０１が安心して利用できるようになる。
【００５４】
なお、室内照明９１、前室照明９２および作業室照明９３の動作制御としては、図１０の動作例の限らず、他の動作も実現できる。一例としては、エアジェット終了後のみ室内６１の照明９１を点灯させ、身支度の最終確認を可能とする。
【００５５】
他の一例としては、エアジェット中は室内６１の照明９１を点灯させて鏡のように用いるが、所定の時間間隔で所定の時間消灯する、例えば数秒に１秒程度で照明を消し、強制的に外部（前室・作業室）を見えるようにすることにより、『自分は見られている』という意識を入室者に持たせ、エアシャワーをきちんと使わせるように意識付けすることができる。
【符号の説明】
【００５６】
１１…エアシャワー装置
２１…本発明のドア
２２…従来のドア
３１…マジックミラー
３２…強化ガラス
４１…ドア部縦框
４２…ドア部横框
５１…エアシャワー本体
６１…エアシャワー室内
７１…前室・廊下側
８１…作業室側
９１…エアシャワー室照明
９２…前室側照明
９３…作業室側照明
１０１…入室者
１０２…室外者
１１０…制御装置
１１１…室内照度センサー
１１２…前室照度センサー
１１３…作業室照度センサー
【図１】
0006542611.tif 000002
【図２】
0006542611.tif 000003
【図３】
0006542611.tif 000004
【図４】
0006542611.tif 000005
【図５】
0006542611.tif 000006
【図６】
0006542611.tif 000007
【図７】
0006542611.tif 000008
【図８】
0006542611.tif 000009
【図９】
0006542611.tif 000010
【図１０】
0006542611.tif 000011